(57)【特許請求の範囲】
【請求項１】
開閉自在に設けられた上蓋を有する携帯型オーディオ機器の一部若しくは全部が収納でき上方に開口した凹部が形成されているとともに、前記凹部内に前記携帯型オーディオ機器の端子と電気的に接続される充電用端子の一部が突出しており、
前記凹部に前記携帯型オーディオ機器を前記上蓋が略鉛直方向となるように収納して前記上蓋を開閉させたとき、前記上蓋の開閉動作と同期して動く可動部を前記凹部に設けたことを特徴とする充電台。
【請求項２】
前記可動部は前記上蓋を閉じる方向に付勢されていることを特徴とする請求項１に記載の充電台。
【発明の詳細な説明】
【０００１】
【発明の属する技術分野】
本発明は、充電可能な二次電池を内蔵若しくは搭載するポータブルミニディスク（ＭＤ）プレーヤ等の携帯型オーディオ機器の充電台に関する。
【０００２】
【従来の技術】
図１３は従来の充電台と、それに着脱自在に装着されるポータブルミニディスクプレーヤの概略的な外観斜視図である。図１３において、９０は充電台１００に載置・保持されるポータブルミニディスクプレーヤ（以下「ＭＤプレーヤ」という。）である。また、９４は開閉自在に設けられた蓋であり、該蓋９４を開閉させることにより、音楽等が記録されたミニディスクカートリッジ（以下「ＭＤカートリッジ」という。）を自由に交換することができる。このＭＤプレーヤ９０の本体９５内には、ＭＤプレーヤ９０を動作させるための電源として、繰り返し充電可能な二次電池９１が内蔵若しくは出し入れ自在に搭載されている。そして、この二次電池９１を充電するために、本体９５内部で該二次電池９１と電気的に接続されている端子９２がＭＤプレーヤ９０の本体９５の背面側に露出しており、この端子９２から前記二次電池９１の充電を行うことができる。本体９５の両側面の各二カ所には、前記蓋９４の開閉操作に影響のない位置に凹溝９３，９３がそれぞれ形成されている。
【０００３】
一方、充電台１００には該充電台１００に前記ＭＤプレーヤ９０を装着したときに、前記凹溝９３に係合するツメ部１０１が両側縁のそれぞれに２つずつ上方に突出して設けられている。そして、ＡＣアダプター１０３を家庭用コンセント等に接続した後、ＭＤプレーヤ９０の本体９５の背面側を下にして充電台１００に対して位置を合わせて本体９５を上方から押さえることにより、ＭＤプレーヤ９０の前記凹溝９３とそれに対応する充電台１００の前記ツメ部１０１を係合させる。このとき、充電台１００の上面から突出して設けられバネによって上方に付勢された充電端子１０２が付勢に抗して下方に押圧され、前記端子９２と電気的に接続される。これにより、ＭＤプレーヤ９０に搭載されている二次電池９１が充電台１００を介して充電される。
【０００４】
【発明が解決しようとする課題】
しかしながら、このような従来のＭＤプレーヤ及び充電台の構成では、端子間の充分な接触圧を得るため、ＭＤプレーヤ９０の凹溝９３と充電台１００のツメ部１０１とを係合させているので、その保持力が強く、ＭＤプレーヤ９０を充電台１００から着脱するのに比較的大きな力を要していた。このため、着脱時に必要以上の力を加えてしまいやすく、場合によっては、係合部の破損や変形を招く恐れがあった。
【０００５】
本発明は、上記従来の問題点に鑑みてなされたもので、ＭＤプレーヤを容易に着脱でき、所定の保持位置からのＭＤプレーヤの位置ズレを防止して安定した接続状態を維持できる充電台を提供することを目的とする。また、本発明の他の目的は、充電台にＭＤプレーヤを保持させた状態でＭＤプレーヤの蓋を開閉して、自由にＭＤカートリッジの交換ができる充電台を提供することである。
【０００６】
【課題を解決するための手段】
上記目的を達成するために、本発明の充電台は、開閉自在に設けられた上蓋を有する携帯型オーディオ機器の一部若しくは全部が収納でき上方に開口した凹部が形成されているとともに、前記凹部内に前記携帯型オーディオ機器の端子と電気的に接続される充電用端子の一部が突出している。これによると、充電台へのオーディオ機器の着脱が容易になる。
【０００７】
また、前記凹部に前記携帯型オーディオ機器を前記上蓋が略鉛直方向となるように収納して前記上蓋を開閉させたとき、前記上蓋の開閉動作と同期して動く可動部を前記凹部に設ける。これによると、携帯型オーディオ機器を充電台に保持させたまま該機器の上蓋の開閉が可能となる。そして、前記可動部は前記上蓋を閉じる方向に付勢されているものとする。
【０００９】
【発明の実施の形態】
本発明の実施の形態について図面を参照して説明する。図１は本発明に係る充電台の一部破砕斜視図である。図１に示すように、充電台１は下部の底板３と該底板３に固定された上部のカバー２とからなる。カバー２には、上方へ開口した凹部４が形成されている。この凹部４は、図２に示すＭＤプレーヤ９０の一部（端子９２が形成されている側）が挿入できる大きさに選ばれており、さらに挿入後にＭＤプレーヤ９０を大きくがたつくことなく保持することができる程度の寸法形状に形成されている。また、凹部４は、カバー２を構成する部材である左右の側面板２ａ，２ａ、背面板２ｂ、底面板２ｃ及び第１可動板５から形成されている。尚、背面板２ｂ及び底面板２ｃは、図１０に示すようにＬ字状の板によって一体成型されいる。
【００１０】
第１可動板５は右方の側部で縦軸１１によってカバー２に軸支されており、その縦軸１１を中心として充電台１の略水平方向（Ｆの方向）に回転可能に設けられている。さらに、第１可動板５の上部には、図３に示すように第２可動板６が蝶番などを用いた横軸１２により充電台１の略鉛直方向（Ｄの方向）に対して回転可能に軸支されている。この第２可動板６は後述するように、底板３に固定された前方の先端部から後方に向かって緩やかなカーブをもって立ち上がる固定面２１の内面に沿うような形状に形成されている。固定面２１の後縁部２１ａは、背面板２ｂとの間隔が右方では狭く、左方では広くなるように直線状に形成されている。また、前記凹部４には左右で１対の充電端子１５，１５（図示せず）が所定の位置に前記底面板２ｃから前記凹部４に出没自在に突出している。尚、７，８は左右の両側面板２ａ，２ａとそれぞれ一体的に形成され上端の僅か下方から前方に突出した左右のサイドガイドである。
【００１１】
図２は、本発明に係る充電台に載せるＭＤプレーヤの外観斜視図である。今、図２に示すように蓋９４を略水平にしてＭＤプレーヤ９０を直方体的に見たとき、便宜上、本体９５の蓋開閉つまみ９６が設けられている面及びそれと対向する面を側面９５ａ、充電用端子９２が露出している面を底面９５ｂとする。
【００１２】
本体９５の底面９５ｂには左右一対の端子９２、９２の一部が露出しており、本体９５内に出し入れ自在に搭載された充電可能な二次電池（図示せず）と本体９５内部で電気的に接続されている。また、本体９５の側面９５ａの蓋開閉つまみ９６を矢印Ａの方向に摺動させると、反対側の側面９５ａに軸支された蓋９４が矢印Ｂの如く回動して開く。そして、蓋９４が開いた状態で、音楽等の聴覚的情報が記録されたＭＤカートリッジを本体９５内の所定の位置に挿入して蓋９４を再び閉じることにより、ＭＤカートリッジをＭＤプレーヤ９０に装着することができるようになっている。
【００１３】
上記のような構成の充電台１にＭＤプレーヤ９０を載せて充電を行う手順について説明する。ＡＣアダプター（図示せず）を家庭用コンセント等に接続した後、ＭＤプレーヤ９０の底面９５ｂを下にするとともに、蓋９４が前方を向くようにして、充電台１の前記凹部４内にＭＤプレーヤ９０の本体９５の一部を挿入する。図４はこの状態を示す正面図、図５はその上方からの平面図、図６はその左方からの側面図である。
【００１４】
これらの図に示すように、ＭＤプレーヤ９０を前記凹部４内に完全に挿入すると、該凹部４の底面板２ｃ上に本体９５の底面９５ｂが重なって載った状態となる（図６参照）。これにより、本体９５の底面９５ｂの端子９２，９２（図２参照）が充電端子１５，１５のばね付勢力に逆らってこれら充電端子１５，１５を下に押し下げるとともに、本体９５の重力により充分な接触圧をもって充電端子１５と端子９２が電気的に接続される。これらの図において１４は、第１可動板５と第２可動板６との間に挟まれた部分の一カ所に設けられたばねである。尚、本実施形態ではこのばね１４として、針金を略中央部で数回巻回してくの字状に折り曲げたもの（通称、トンボばね）を用いているが、これに限定されず、弾性体であればコイルばねや板ばね等でもよい。
【００１５】
図１０は、図４におけるＸ−Ｘ線断面図である。図１０に示すように、ＭＤプレーヤ９０の蓋９４を閉じた状態では、ばね１４の付勢力によって第１可動板５及び第２可動板６は互いに遠ざかる方向に力が加わり、第１可動板５は蓋９４の外面に密接するとともに、第２可動板６は固定面２１のカーブした内面に沿うようにこれと面接触する。従って、蓋９４が閉じる方向に常にばね１４の付勢力が掛かっているいるため、本体９５は前記凹部４内の所定の位置にがたつくことなく安定して充電台１に保持される。
【００１６】
次に、ＭＤプレーヤ９０を充電台１に保持させた状態において、蓋９４を開くときの操作について説明する。図７は、本発明に係る充電台にＭＤプレーヤを正規に装着し、ＭＤプレーヤの蓋を開いた状態を示す正面図である。そして、図８はその上方からの正面図、図９はその左方からの側面図である。図１１は、図７におけるＹ−Ｙ線断面図である。蓋開閉つまみ９６を押し下げて蓋９４を開き始めると、それに同期して、ばね１４の付勢力に逆らって第１可動板５が蓋９４との密接状態を維持しながら軸１１を中心に回動する。これに伴い、第１可動板５の上端に軸支された第２可動板６が固定面２１の後縁部２１ａに押しつけられ、その反作用によって先端側が固定面２１の下方に押し下げられる。
【００１７】
そして、蓋９４を最大限に開くと、該蓋９４は固定面２１の後縁部２１ａと略平行となる位置関係で停止して、その開放状態が維持される。この状態でＭＤカートリッジを交換して、再び蓋９４を閉じることにより、充電台１にＭＤプレーヤ９０を保持させたままでＭＤカートリッジの再生等の操作を行うことができる。また、蓋９４の開閉時やＭＤカートリッジの交換時に、ＭＤプレーヤ９０の本体９５に余分な外力が加わっても、本体９５の左右方向の位置ズレはサイドガイド７，８によって防止され、前後方向もばね１４の付勢力によって第１可動板５に押圧されるため、所定の保持位置からの移動が阻止される。
【００１８】
さらに、充電台１の凹部４にＭＤプレーヤ９０を保持させたとき、両者を凹凸嵌合機構によって固定するようにすれば、上述した位置ズレ防止に対して万全を期すことができる。この場合、図１２に示すように本体９５の底面９５ｂのＤＣジャック孔９７に係合する突起部９を充電台１の凹部４の底面板２ｃから突出させて設けることにより、ＭＤプレーヤ９０のデザインを含む実装設計に変更を加えることなく、ＭＤプレーヤ９０の凹部４内におけるがたつきを防止して、安定した接続状態を維持することができる。尚、本実施形態では、ＭＤプレーヤの充電台を例にして説明したが、ＣＤプレーヤやカセットプレーヤ等の他の携帯型オーディオ機器の充電台に対して同様の機構を設けてもよい。また、本発明では、ＭＤプレーヤの一部を充電台の凹部に挿入するようにしたが、必ずしも一部のみである必要はなく、全部挿入するようにしてもよい。
【００１９】
【発明の効果】
以上説明したように本発明によると、開閉自在に設けられた上蓋を有する携帯型オーディオ機器を前記上蓋が略鉛直方向になるように挿入できる凹部を充電台に形成したことにより、携帯型オーディオ機器の上蓋を略水平にして該機器の側面に設けた凹溝と充電台側に設けたツメ部とを係合させることにより強固に保持させる従来の構造に比し、携帯型オーディオ機器の充電台への着脱を小さな力で容易に行うことができる。また、前記上蓋の開閉に同期して動く可動部を前記凹部に設けたことにより、前記携帯型オーディオ機器を保持させたままで上蓋の開閉を自由に行える。そして、前記可動部は常に前記上蓋を閉じる方向に付勢されるようにしたことにより、前記上蓋の開閉時に携帯型オーディオ機器が前記凹部内における所定の保持位置からずれる恐れがないため、該機器の自重が掛かることによる充分な接触圧と相俟って安定した接続状態を維持することができる。
【図面の簡単な説明】
【図１】    本発明に係る充電台の一部破砕斜視図である。
【図２】    本発明に係る充電台に載せるポータブルミニディスクプレーヤの斜視図である。
【図３】    本発明に係る充電台に配設された第１可動板及び第２可動板の要部斜視図である。
【図４】    本発明に係る充電台に図２のポータブルミニディスクプレーヤを正規に装着したときの正面図である。
【図５】    図４の上方からの平面図である。
【図６】    図４の左方からの側面図である。
【図７】    本発明に係る充電台に図２のポータブルミニディスクプレーヤを正規に装着し、ポータブルミニディスクプレーヤの蓋を開いた状態を示す正面図である。
【図８】    図７の上方からの平面図である。
【図９】    図７の左方からの側面図である。
【図１０】  図４におけるＸ−Ｘ線断面図である。
【図１１】  図７におけるＹ−Ｙ線断面図である。
【図１２】  本発明に係る充電台に図２のポータブルミニディスクプレーヤを正規に装着した場合において、充電台から突出させた凸部をポータブルミニディスクプレーヤのＤＣジャック孔に嵌合させた状態を示す正面断面図である。
【図１３】  従来の充電台及びそれに保持されるポータブルミニディスクプレーヤの概略的な斜視図である。
【符号の説明】
１    充電台
２    カバー
３    底板
４    凹部
５    第１可動板
６    第２可動板
７    左サイドガイド
８    右サイドガイド
９    突起部
１１  縦軸
１２  横軸
１４  ばね
１５  充電端子
２１  固定面
９０  ポータブルミニディスクプレーヤ
９１  二次電池
９２  端子
９４  蓋
９５  本体
９７  ＤＣジャック孔
【図１】
0003638478.tif 000002
【図２】
0003638478.tif 000003
【図３】
0003638478.tif 000004
【図４】
0003638478.tif 000005
【図５】
0003638478.tif 000006
【図６】
0003638478.tif 000007
【図７】
0003638478.tif 000008
【図８】
0003638478.tif 000009
【図９】
0003638478.tif 000010
【図１０】
0003638478.tif 000011
【図１１】
0003638478.tif 000012
【図１２】
0003638478.tif 000013
【図１３】
0003638478.tif 000014